(57)【要約】【課題】  ハロゲンランプを放電ランプに代替する場合や放電ランプ同士での代替の際に何れの形式にも簡単に適合させて用いることができ、且つ焦点位置の設定調節が確実、容易に行える車両用放電ランプの提供を課題とする。【解決手段】  ランプ本体部１１０と口金本体部１２０の組み合わせからなり、ランプ本体部１１０はスリーブ１１２の外径寸法を種類に関係なく共通にし、口金本体部１２０は反射板３０の受け口３１の種類に対応して複数種類の形状を持つものとし、且つ貫通孔１２１の内径寸法をスリーブ１１２の共通の外径寸法に対応して共通にし、ランプ本体部１１０に口金本体部１２０との分離可能な結合と相対位置を規制する位置決めとを兼ねたランプ本体部側結合位置決め手段を、口金本体部１２０にランプ本体部側結合位置決め手段に対応する分離可能な結合と位置決めを兼ねた口金本体部側結合位置決め手段を設けた。【選択図】      図６
2006244957.tif 000002
【特許請求の範囲】
【請求項１】
放電管を用いた車両用放電ランプであって、
放電管と該放電管の基部側を収容して一体化すると共に前記放電管に至るリード線をその内部で電気接続させてなるスリーブとからなるランプ本体部と、該ランプ本体部とは別体に構成されると共に前記ランプ本体部を挿嵌して取り付けるための貫通孔を備えた口金本体部との組み合わせからなり、
前記ランプ本体部は、その種類に関係なく、前記スリーブの外径寸法を共通に構成し、  前記口金本体部は、それが嵌め合わされる反射板側の受け口の種類に対応して複数種類の形状を持つものとし、且つその種類に関係なく、前記貫通孔の内径寸法を前記スリーブの外径寸法に対応して共通に構成し、これによってランプ本体部と口金本体部とをそれぞれ複数の種類から組み合わせ自在とし、
且つランプ本体部と口金本体部とには、その何れか一方若しくは両方に、両者を分離可能に結合して放電ランプを完成させる結合手段と、完成された放電ランプが前記受け口に取り付けられた状態において前記放電ランプの放電部が前記反射板の焦点位置に配置されるように、前記ランプ本体部と口金本体部の結合の相対位置を規制する位置決め手段とを設けたことを特徴とする車両用放電ランプ。
【請求項２】
ランプ本体部には、口金本体部との結合を行う結合手段と該結合の際に両者の相対位置を規制する位置決め手段とを兼ねたランプ本体部側結合位置決め手段を、放電部から一定の距離にある位置に設け、
口金本体部には、前記ランプ本体部側結合位置決め手段に対応する結合手段と位置決め手段とを兼ねた口金本体部側結合位置決め手段を、前記口金本体部の形状の種類毎に対応してそれぞれ予め定めた位置に設け、これによって両結合位置決め手段の結合によって完成された放電ランプが反射板側の受け口に取り付けられた状態において該放電ランプの放電部が前記反射板の焦点位置に配置されるようにしてあることを特徴とする請求項１に記載の車両用放電ランプ。
【請求項３】
口金本体部には反射板の背面側に設けられる受け面に対して当接するフランジが形成されており、口金本体部側結合位置決め手段の位置は、口金本体部の形状の種類毎に前記フランジからの距離で予め定めてあることを特徴とする請求項２に記載の車両用放電ランプ。
【請求項４】
ランプ本体部側結合位置決め手段と口金本体部側結合位置決め手段とは、相互に嵌合することで結合を完成し、或いは係合することで結合を完成し、或いは螺合することで結合を完成する一対の要素からなることを特徴とする請求項２又は３に記載の車両用放電ランプ。
【請求項５】
反射板側の受け口に対して取り付けることで放電管が反射板の前方へ突出した状態に取り付けられる車両用放電ランプの取り付け方法であって、
前記放電管と該放電管の基部側を収容して一体化すると共に放電管に至るリード線をその内部で電気接続させてなるスリーブとからなるランプ本体部と、該ランプ本体部とは別体に構成されると共に前記ランプ本体部を挿嵌して取り付けるための貫通孔を備えた口金本体部とを別々に用意し、
前記反射板側の受け口に対して先ず前記口金本体部を取り付けて固定し、その固定された口金本体部の貫通孔に前記ランプ本体部を挿嵌して、該ランプ本体部を前記口金本体部に分離可能に結合して固定することを特徴とする車両用放電ランプの取り付け方法。
【発明の詳細な説明】
【技術分野】
【０００１】
本発明は車両用放電ランプ及びその取り付け方法に関し、より詳しくは自動車の前照灯等に用いられる車両用放電ランプとその車両用放電ランプの取り付け方法に関する。
【背景技術】
【０００２】
自動車の前照灯は、当初においてはタングステンフィラメント電球を用いていた。そして近年ではハロゲンランプを用いるのが一般的であった。更に最近では、高級車を中心により高輝度の放電ランプ（ＨＩＤバルブと称されている）が使用されるようになってきた。
前記放電ランプは非常に高輝度で明るく、また高級感もあることから、前照灯にハロゲンランプを標準装備した自動車の所有者等において、ハロゲンランプを放電ランプに取り替えて使用しようとする需要が市場において増大している。
【０００３】
図７はハロゲンランプを用いた自動車の前照灯の一例を示す一部断面側面図、図８は反射板へのハロゲンランプの取り付けを説明する図である。また図９はハロゲンランプを取り付けていた反射板に対して従来の放電ランプを取り付ける場合を説明する図である。
図７、図８において、前照灯１は前面ガラス２、反射板３、ハロゲンランプ４等からなる。前記ハロゲンランプ４には、口金部４ａと該口金部４ａの一部でもあるフランジ４ｂが設けられている。一方、反射板３の背面側には受け口３ａが設けられている。この受け口３ａは、開口３ｂとその周囲の受け面３ｃを含む概念である。また反射板３の背面側には口金部４ａを固定する留め金３ｄが設けられている。ハロゲンランプ４は反射板３の背面側から挿入され、ハロゲンランプ４の口金部４ａの前部が反射板３の受け口３ａの開口３ｂに嵌合し、またフランジ４ｂが受け口３ａの受け面３ｃに合致して当接する。
嵌め込まれたハロゲンランプ４は留め金３ｄによって背後から当てがわれて固定される。
このようにして反射板３に取り付けられるハロゲンランプ４は、その発光部４ｃが反射板３の焦点位置となるように配置される。
図９においては、ハロゲンランプ４を取り除いた反射板３に対し、代わって従来の放電ランプ５を取り付けようとしている。この従来の放電ランプ５は、反射板３の受け口３ａに対応して嵌合できる形に予め形成した口金部５ａを（口金部５ａの一部を構成するフランジ５ｂを含めて）放電管５ｃと共に、その全体を一体不可分の完成品として製造したものである。５ｅはリード線で、５ｆは該リード線５ｅと接続する外部リード線である。
前記放電ランプ５を反射板３の受け口３ａの開口３ｂに嵌合し、フランジ５ｂを受け面３ｃにあてがい、留め金３ｄにより固定することで、反射板３への取り付けが行われる。このようにして反射板３に取り付けられた放電ランプ５は、その放電管５ｃの放電部５ｄが反射板３の焦点位置となるように配置される。
【０００４】
また先行技術として、Ｄ２Ｒ形式の放電ランプにリング部を取り付けることで、Ｈ４ハロゲン電球用の反射板に対してＤ２Ｒ形式放電ランプを取り付け可能としたものが特開平１０−１９９３０４号公報（特許文献１）で開示されている。
またＨ−１、ＨＢ−３、ＨＢ−４等の各形式のハロゲン電球の代替品として、第１口金部を第２口金部に密接に収納するようにして製造を完成する放電管用口金の発明が、特開平７−５７５０４号公報（特許文献２）において開示されている。
更に製造時に放電管の発光部の焦点設定を簡単に行うことができる発明が、特開平７−１０５９１５号公報（特許文献３）で開示されている。
【特許文献１】特開平１０−１９９３０４号公報
【特許文献２】特開平７−５７５０４号公報
【特許文献３】特開平７−１０５９１５号公報
【発明の開示】
【発明が解決しようとする課題】
【０００５】
上記ハロゲンランプは、自動車メーカーによって、また車種によって種々の形式のものが用いられており、この種々の形式のハロゲンランプに応じて該ハロゲンランプを受け入れる反射板側の受け口の形も種々の形となっている。ハロゲンランプの形式として、例えばＨ１、Ｈ３Ｃ、Ｈ７、ＨＢ４、ＨＢ５、Ｈ４と称される（少なくとも６種類）形式があり、その形式毎に受け口の形が異なる。
加えて放電ランプを標準設備した自動車においても、放電ランプ自体に複数の形式があり、形式毎に反射板側の受け口の形状が異なる。
従って民間の整備会社等において、何れかの形式のハロゲンランプを標準装備した自動車において、ハロゲンランプに替えて放電ランプを取り付けるためには、ハロゲンランプの各形式（６種類）に相当する（６）種類の口金形状をもつ放電ランプを予め揃えておく必要がある。放電ランプを標準装備した自動車の放電ランプを取り替える場合においても、放電ランプの各形式に相当する種類の口金形状の放電ランプを整備会社等は揃えておく必要がある。
更に加えて、放電ランプには種々の発光色があることから、取り替えを依頼される整備会社等においては、取り揃えておくべき放電ランプの種類として、発光色の色々な種類×取り揃えておくべき口金形状の種類が必要となり、非常に多種類の放電ランプを揃えて、顧客の要望に応じる必要がある。
従って顧客の好みに応じた発光色の放電ランプを、各ハロゲンランプの形式や放電ランプの形式に対応して揃えておくためには、結局のところ、色や形式の異なる多数の種類の放電ランプが必要となってしまい、特に小規模の整備会社等では、買い揃えておくためのコストが高くなる問題や保管等の問題があり、顧客の要望に応じることができない問題があった。
【０００６】
また上記図９に示すような外部リード線５ｆが一体的に取り付けられた一体型の放電ランプ５（従来の放電ランプ）を、反射板３側の受け口３ａに嵌め合わせ、留め金３ｄで止める作業を行う場合において、ハロゲンランプとは異なり放電ランプ５の放電管５ｃはそのガラス管が一般に薄く割れやすいことから、現場において車に取り付いた状態の前照灯の裏側の狭い雑多な空間において、放電ランプ５を反射板３の受け口３ａに通して嵌め合せ、更に留め金３ｄによって邪魔な外部リード線５ｆ等を避けながら固定作業する際に、放電管５ｃのガラス管が金属製等からなる反射板３の受け口３ａのエッジ等に当って破損しやすいという問題があった。
【０００７】
上記特許文献１に示す発明は、既成の放電ランプにリング部を取り付けることで、ハロゲンランプ用の反射板に取り付けることができるようにしたものである。しかしながら、あくまで口金の寸法をより大径に調整することで嵌め合いを達成するものであり、実際にはＤ２Ｒ放電管の口金をＨ４ハロゲンランプの口金として代替ができるようにしたものに過ぎず、同径程度或いはそれより小径の口金径を有する他の種類のハロゲンランプ（例えばＨ１型）への代替えや放電ランプの形式間での代替（例えばＤ２ＲとＤ２Ｓとの間での代替）には用いることができない問題があった。
【０００８】
また上記特許文献２に示す発明は、ハロゲンランプＨ−１、ＨＢ−３、ＨＢ−４等の代替品として第一口金部を第二口金部に密接に収納するようにして完成する放電管用口金の発明である。しかし、あくまで製造工場における製造上の利点を追及したものであり、工場出荷時においては既に全体が一体不可分に構成された従来型の放電ランプと何ら変わらないものに過ぎない。従って整備工場等においてのランプ取り替えに適用しては、何ら便利よく組み合わせて用いることができるようなものでない。
【０００９】
また上記特許文献３に示す発明は、放電管の発光部の焦点設定を簡単に行うことができる発明である。しかし、あくまで製造時における工夫に過ぎず、放電ランプの取り付けに際しての焦点設定を行うものではない。
【００１０】
そこで本発明は上記従来の問題を解消し、多数の形式があるハロゲンランプを放電ランプに代替する場合に、何れのハロゲンランプの形式にも簡単に形式を適合させて用いることができ、また形式の異なる放電ランプ同士での代替えの際にも簡単に形式を適合させて用いることができ、よって従来のように全体が一体物となっている放電ランプを多数種類について取り揃えておく必要がなく、加えて代替して取り付ける際にその焦点位置の設定調節を確実に且つ容易に行うことができる車両用放電ランプの提供を目的とする。
更には代替して取り付ける際に簡単で容易に取り付けることができ、放電ランプのガラスを破損するようなことを減らすことができる車両用放電ランプの取り付け方法の提供を課題とする。
【課題を解決するための手段】
【００１１】
上記課題を達成するため、本発明の車両用放電ランプは、放電管を用いた車両用放電ランプであって、
放電管と該放電管の基部側を収容して一体化すると共に前記放電管に至るリード線をその内部で電気接続させてなるスリーブとからなるランプ本体部と、該ランプ本体部とは別体に構成されると共に前記ランプ本体部を挿嵌して取り付けるための貫通孔を備えた口金本体部との組み合わせからなり、
前記ランプ本体部は、その種類に関係なく、前記スリーブの外径寸法を共通に構成し、  前記口金本体部は、それが嵌め合わされる反射板側の受け口の種類に対応して複数種類の形状を持つものとし、且つその種類に関係なく、前記貫通孔の内径寸法を前記スリーブの外径寸法に対応して共通に構成し、これによってランプ本体部と口金本体部とをそれぞれ複数の種類から組み合わせ自在とし、
且つランプ本体部と口金本体部とには、その何れか一方若しくは両方に、両者を分離可能に結合して放電ランプを完成させる結合手段と、完成された放電ランプが前記受け口に取り付けられた状態において前記放電ランプの放電部が前記反射板の焦点位置に配置されるように、前記ランプ本体部と口金本体部の結合の相対位置を規制する位置決め手段とを設けたことを第１の特徴としている。
また本発明の車両用放電ランプは、上記第１の特徴に加えて、ランプ本体部には、口金本体部との結合を行う結合手段と該結合の際に両者の相対位置を規制する位置決め手段とを兼ねたランプ本体部側結合位置決め手段を、放電部から一定の距離にある位置に設け、
口金本体部には、前記ランプ本体部側結合位置決め手段に対応する結合手段と位置決め手段とを兼ねた口金本体部側結合位置決め手段を、前記口金本体部の形状の種類毎に対応してそれぞれ予め定めた位置に設け、これによって両結合位置決め手段の結合によって完成された放電ランプが反射板側の受け口に取り付けられた状態において該放電ランプの放電部が前記反射板の焦点位置に配置されるようにしてあることを第２の特徴としている。
また本発明の車両用放電ランプは、上記第２の特徴に加えて、口金本体部には反射板の背面側に設けられる受け面に対して当接するフランジが形成されており、口金本体部側結合位置決め手段の位置は、口金本体部の形状の種類毎に前記フランジからの距離で予め定めてあることを第３の特徴としている。
また本発明の車両用放電ランプは、上記第２又は第３の特徴に加えて、ランプ本体部側結合位置決め手段と口金本体部側結合位置決め手段とは、相互に嵌合することで結合を完成し、或いは係合することで結合を完成し、或いは螺合することで結合を完成する一対の要素からなることを第４の特徴としている。
また本発明の車両用放電ランプの取り付け方法は、反射板側の受け口に対して取り付けることで放電管が反射板の前方へ突出した状態に取り付けられる車両用放電ランプの取り付け方法であって、
前記放電管と該放電管の基部側を収容して一体化すると共に放電管に至るリード線をその内部で電気接続させてなるスリーブとからなるランプ本体部と、該ランプ本体部とは別体に構成されると共に前記ランプ本体部を挿嵌して取り付けるための貫通孔を備えた口金本体部とを別々に用意し、
前記反射板側の受け口に対して先ず前記口金本体部を取り付けて固定し、その固定された口金本体部の貫通孔に前記ランプ本体部を挿嵌して、該ランプ本体部を前記口金本体部に分離可能に結合して固定することを特徴としている。
【発明の効果】
【００１２】
請求項１に記載の車両用放電ランプによれば、客等は自動車整備工場等において、自己が好む発光色の放電ランプが付いたランプ本体部を既存のハロゲンランプや放電ランプに替えて選び、一方、自動車整備工場等の社員等は、その客の自動車等に装備された前照灯等の反射板側の受け口の形状（ハロゲンランプや放電ランプの形式）を見て、その受け口の形状に対応する口金本体部を選ぶ。これによってランプ本体部と口金本体部との組み合わせが確定される。そして自動車整備工場等の社員等は、元のハロゲンランプ等を前照灯等の反射板側の受け口から外した後、前記選んだ口金本体部を前記受け口に嵌め合わせて固定し、次に客が選んだランプ本体部を前記固定した口金本体部の貫通孔に挿嵌し、結合手段により口金本体部とランプ本体部とを結合する。その際、位置決め手段によって口金本体部とランプ本体部との結合の相対位置が規制されて結合がなされる。これによって口金本体部とランプ本体部とが組み合わされた形で放電ランプが完成され、且つ反射板側の受け口への取り付けが完了する。このとき、前記位置決め手段による口金本体部とランプ本体部との結合相対位置が規制されることで、取り付けが完了した状態において放電ランプの放電部が反射板の焦点位置に配置されることになる。
よって請求項１に記載の車両用放電ランプによれば、自動車整備工場等においては反射板側の受け口の種類に対応した口金本体部の種類を揃え、且つ色々な発光色についてのランプ本体部を揃えておけば、顧客の要望に応じて、それらのランプ本体部と口金本体部とを組み合わせて使用すればよく、取り揃えておくべき種類を従来の一体型放電ランプを取り揃える場合に比べて大幅に少なくすることができる。
また請求項１に記載の車両用放電ランプによれば、ハロゲンランプを放電ランプに取り替えるだけではなく、放電ランプ間での発光色や形式の相違にも適応して、容易に代替えすることができる。
加えて請求項１に記載の車両用放電ランプによれば、口金本体部とランプ本体部との結合がなされる場合において、両者の結合の相対位置を規制する位置決め手段を設けたことで、結合によって完成された放電ランプが反射板側の受け口に取り付けられた状態において、その放電ランプの放電部が反射板の焦点位置に配置されるようにすることが可能となる。
また請求項１に記載の車両用放電ランプによれば、口金本体部とランプ本体部とを別体に構成してこれを組み合わせるようにしているので、反射板側の受け口に対して、先に口金本体部を取り付け、その先に取り付けられた口金本体部に対して放電管が付いたランプ本体部を後から結合することが可能となり、放電管が反射板の受け口等に当って破損するといった従来の問題も軽減することができる。
更には、一旦結合したランプ本体部と口金本体部とは分離が可能であるので、壊れたランプ本体部だけ取り替えたり、ランプ本体部だけを取り替えて発光色を変更することも容易に安価で行うことができる。
【００１３】
また請求項２に記載の車両用放電ランプによれば、上記請求項１の構成による効果に加えて、ランプ本体部と口金本体部とには、それぞれ結合手段と位置決め手段とを兼ねたランプ本体部側結合位置決め手段と口金本体部側結合位置決め手段とを設けているので、両者の結合の際に、同時に両者の相対的位置を規制して定めることがワンタッチ的に行えるメリットがある。
そして前記ランプ本体部側結合位置決め手段については、ランプ本体部の放電部から一定の距離にある位置に設けることで、色々な発光色を有するランプ本体部に対して汎用性をもたらすことができ、且つ前記口金本体部側結合位置決め手段については、口金本体部の形状の種類毎に対応してそれぞれ予め定めた位置に前記口金本体部側結合位置決め手段を設けることで、何れの種類の口金本体部を用いてランプ本体部と組み合わせて放電ランプを完成させた場合であっても、その放電ランプが反射板側の受け口に取り付けられた際に、放電ランプの放電部が反射板の焦点位置に確実に配置されるようにすることができる。
【００１４】
また請求項３に記載の車両用放電ランプによれば、上記請求項２に記載の構成による効果に加えて、放電ランプが反射板側の受け口に取り付けられるに際しては、口部本体部に形成されたフランジが反射板の背面側に設けられる受け面に対して当接することで、相対位置を定める際の基準とすることができ、そのフランジからの距離でもって口金本体部側結合位置決め手段の位置を定めたことで、口金本体部側結合位置決め手段の配置や形成を容易に行うことができる。
【００１５】
また請求項４に記載の車両用放電ランプによれば、上記請求項２又は３に記載の構成による効果に加えて、ランプ本体部と口金本体部とに設けられる結合位置決め手段を相互に嵌合することで結合を完成する一対の嵌合要素とすることで、該一対の嵌合要素を相互に嵌合することで、ランプ本体部と口金本体部との結合及び相対的位置決めを同時的に容易に行うことができる。同様に、ランプ本体部と口金本体部とに設けられる結合位置決め手段を相互に係合することで結合を完成する一対の係合要素とすることで、該一対の係合要素の係合によりランプ本体部と口金本体部との結合及び相対的位置決めを同時的に容易に行うことができる。また同様に、ランプ本体部と口金本体部とに設けられる結合位置決め手段を相互に螺合することで結合を完成する一対の螺合要素とすることで、該螺合要素の螺合を介してランプ本体部と口金本体部との結合及び相対的位置決めを同時的に容易に行うことができる。
【００１６】
また請求項５に記載の車両用放電ランプの取り付け方法によれば、反射板側の受け口に対して取り付けられることで放電管が反射板の前方へ突出した状態に取り付けられる車両用放電ランプの取り付け方法において、先ず別体に構成された口金本体部を反射板側の受け口に取り付けて固定するので、自動車のボンネット内に実装されている反射板やその受け口に対しての放電ランプの取り付け作業が必ずしも容易でない状況において、その受け口に放電管を直接差し込むような作業を行う必要がないので、放電管を破損するといった問題が回避できる。そして反射板側の受け口に先ず取り付け固定をするのは口金本体部であるから、該口金本体部にはガラス等は使用されておらず、破損等の問題が生じることなく大胆に且つ迅速に取り付け固定の作業を行うことができる。そしてランプ本体部は受け口への固定が完了した口金本体部に対して、そのランプ本体部との嵌挿、結合を前提として構成された貫通孔に嵌挿すればよいので、嵌挿が容易であり、放電管が前記貫通孔の部分で破損することはないのである。よって全体として放電ランプの取り付けを容易に迅速に行うことができ、且つ従来において問題となっていた取り付け作業中における放電管の破損を、十分に減じることができる。
【発明を実施するための最良の形態】
【００１７】
以下の図面を参照して、本発明の実施形態を更に説明する。
図１は本発明の車両用放電ランプの実施形態を示す自動車の前照灯の一部断面側面図、図２は前照灯の前面ガラス部を外した状態を示す斜視図、図３は前照灯の背面側から見た分解斜視図である。図４は前照灯の分解斜視図、図５はランプ本体部と口金本体部とを組み合わせた状態を示す一部断面側面図、図６は車両用放電ランプにおけるランプ本体部と口金本体部との組み合わせ前の状態を示す斜視図である。
【００１８】
図１、図３を参照して、自動車の前照灯１０は前面ガラス２０、反射板３０、放電ランプ１００を有している。
前記放電ランプ１００は、図２を参照して、反射板３０の基部中央付近に設けられる受け口３１に背面側から挿嵌されて取り付けられる。
放電ランプ１００で発光された光は反射板３０で反射され、或いは反射されることなく前面ガラス２０を通って、前方へ放たれる。このとき放電ランプ１００の放電部１１３が反射板３０の焦点に位置し、発光した光が反射板３０によって前方へ略平行に放たれる。
前記放電ランプ１００は、図３、図４を参照して、ランプ本体部１１０と口金本体部１２０との組み合わせからなる。
【００１９】
前記放電ランプ１００のランプ本体部１１０は、放電管１１１と該放電管１１１の基部側を収容して一体化したスリーブ１１２とからなる。
前記放電管１１０はガラス管状のもので、内部に放電部１１３が設けられている。この放電部１１３から放たれる光の色については種々の種類がある。
１１４はリード線で、前記放電部１１３で対峙することで、放電を行うことができるようになっている。
前記スリーブ１１２は放電管１１１の基部を収容して一体化される。またスリーブ１１２は前記リード線１１４及びその保護管１１５を肉厚内に受け入れ、また外部リード線１１６を厚肉内に受け入れ、その肉厚内部で前記リード線１１４と外部リード線１１６とを電気接続している。即ち、スリーブ１１２は放電管１１１に至るリード線１１４、１１６をその内部で電気接続している。
そしてスリーブ１１２はその外径寸法を、種類に関係なく、共通の寸法としている。ここで種類とは、より具体的には放電による発光色の種類を主として言う。このような色々な発光色を有するランプ本体部１１０について、そのスリーブ１１２の外径寸法を共通にすることで、種々の発光色の放電ランプ１１０を汎用的に口金本体部１２０と組み合わせることで、好みに応じた発光色を有する放電ランプ１００を容易に完成させることが可能となる。
なお本実地形態では、スリーブ１１２の外径形状が、後述するリード線１１４や保護管１１５を収容するために、円形に小半円形を付加したような形になっているが、全体をもう少し大きな円形形状として構成することもできる。
【００２０】
前記ランプ本体部１１０のスリーブ１１２には、ロックピン１１７が設けられている。
ロックピン１１７は、ランプ本体部１１０の放電部１１３から一定距離の位置に設けられている。即ち、放電部１１３からロックピン１１７までの距離を、ランプ本体部１１０の種類（端的には放電管１１１の発光色の種類）によらず一定とすることで、汎用性を与えている。
前記ロックピン１１７は、ランプ本体部１１０を口金本体部１２０と結合させる結合手段としての機能と該結合の際に両者の相対的位置を規制する位置決め手段としての機能を兼ね備えており、機能的にはランプ本体部側結合位置決め手段を構成するものである。
【００２１】
口金本体部１２０は、前記ランプ本体部１１０と組み合わされて放電ランプ１００を構成するものである。またその外形部が反射板３０の受け口３１に嵌め合わされて固定されるものである。更に貫通孔１２１にランプ本体部１１０の挿嵌を受けて相互に結合されるものである。
口金本体部１２０は、その種類に関係なく、前記貫通孔１２１の内径寸法を前記ランプ本体部１１０のスリーブ１１２の外径寸法に対応して共通に構成している。これによって、色々の種類の口金本体部１２０に対して色々の種類のランプ本体部１１０を自由に組み合わせて結合することができる。
なお貫通孔１２１は、本実施形態では前記スリーブ１１２の外径形状に合わせて、円形孔に後述するリード線１１４やその保護管１１５を通すための孔部を付け加えたような形になされているが、スリーブ１１２の外径をもう少し大きくして円形形状にすれば、貫通孔１２１の形状も円形とすることができる。
一方、口金本体部１２０は、その形状、特に外形形状を、それが嵌め合わされる反射板３０側の受け口３１の複数種類の形状に対してそれぞれ対応したものとし、よって複数種類の形状を備えたものを揃えることになる。即ち、例えばハロゲンランプを取り付けていた反射板３０では、ハロゲンランプの形式Ｈ１、Ｈ３Ｃ、Ｈ４、Ｈ７、ＨＢ４、ＨＢ５毎に異なる形の受け口３１（６種類）をもっており、また放電ランプを取り付けていた反射板３０では、放電ランプの形式Ｄ２Ｒ、Ｄ２Ｓ毎に異なる形の受け口３１（２種類）をもっている。この色々な形の受け口３１（８種類）の何れの受け口３１であっても、それに対して適切に嵌り合うようにするためには、それぞれの受け口３１に対応する形状を有する口金本体部１２０（８種類）を揃えておく必要があるのである。
【００２２】
前記反射板３０側の受け口３１に対して嵌り合う前記口金本体部１２０としては、具体的には口金本体部１２０の一部として途中に設けられるフランジ１２２と該フランジ１２２より前方にある口金前部１２３とが前記受け口３１に嵌り合うことになるので、この口金前部１２３とフランジ１２２との組み合わせからなる形状を、それそれの受け口３１の種類に応じて、複数種類揃えておく必要があるのである。
【００２３】
前記口金本体部１２０には、前記ランプ本体部１１０のロックピン１１７に対応して、ロックピン受け１２４が設けられている。
ロックピン受け１２４は、口金本体部１２０の形状の種類に対応して、それぞれ前記フランジ１２２からの適切な距離を予め定めて設けている。
前記ロックピン受け１２４は、口金本体部１２０をランプ本体部１１０と結合させる結合手段としての機能と該結合の際に両者の相対的位置を規制する位置決め手段としての機能を兼ね備えており、機能的には口金本体部側結合位置決め手段を構成するもので、上記のランプ本体部側結合位置決め手段と一対となるものである。
【００２４】
口金本体部１２０の貫通孔１２１にランプ本体部１１０が挿嵌され、ランプ本体部１１０のロックピン１１７が口金本体部１２０のロックピン受け１２４に嵌合することで、ランプ本体部１１０と口金本体部１２０との結合が完成される。この結合の際に、ランプ本体部１１０と口金本体部１２０との結合の相対位置が規制される。
前記相対位置の規制は、その結合により完成された放電ランプ１００が反射板３０に取り付けられた状態において、放電ランプ１００の放電部１１３が反射板３０の焦点位置に配置されるようにする規制である。放電部１１３が反射板３０の焦点位置にあることで、適正な光が前照灯から前方へ放出される。
前記反射板３０の焦点位置は前記受け口３１の形状に対応して決まっており、受け口３１の形状は、そこに標準装備されていたハロゲンランプや放電ランプの種類によって決まっている。またランプ本体部１１０における放電部１１３からロックピン１１７までの距離は、何れの種類のランプ本体部１１０であっても一定に定めている。
従って前記ロックピン受け１２４の配置位置を、口金本体部１２０の種類毎に予め調整した位置に定めることで、完成された放電ランプ１００における放電部１１３の位置が、受け口３１の種類に応じて、反射板３０の焦点位置にくるようにすることができるのである。
【００２５】
図６を参照して、前記反射板３０の基部中央付近に設けられる受け口３１は、本実施形態では、開口３１ａと受け面３１ｂとからなる。受け面３１ｂは反射板３０の背面側にあって、前記開口３１ａの周囲に一定形状を持つ浅い凹所として設けることができる。
前記反射板３０の基部中央付近に設けられた前記受け口３１に対し、その開口３１ａには前記口金本体部１２０の口金前部１２３が嵌り込んで反射板３０の前方へ突出する。また前記受け口３１の受け面３１ｂの浅い凹所には前記口金本体部１２０のフランジ１２２が丁度嵌り込んで当接するようになっている。
前記開口３１ａの径や形状及び受け面３１ｂの凹所の形状等が異なることで、色々な種類の受け口３１が存在することになる。端的には前記ハロゲンランプの形式（６種類）、放電ランプの形式（２種類）毎に異なる受け口３１が存在する。従って、これら異なる種類の受け口３１に対応するために、それらの各受け口３１に対応して異なる形状の（受け口３１の形状に対応して口金前部１２３やフランジ１２２の形状を異ならせた）口金本体部１２０を揃えておけばよい。
【００２６】
前記反射板３０の基部中央付近の背面には、前記受け口３１を構成する開口３１ａや受け面３１ｂの他、受け口３１を囲む保護壁３２、留め金３３及びその係止片３４が設けられている。
【００２７】
口金本体部１２０にフランジ１２２を設けて、これを反射板３０の受け口３１の受け面３１ｂに当接させて結合・固定する場合には、フランジ１２２をランプ本体部１１０と口金本体部１２０との結合の際の相対位置を定める際の基準とすることができる。即ち、フランジ１２２からロックピン受け１２４までの距離を、口金本体部１２０の形状（種類）毎に予め定めておくことで、完成された放電ランプ１００が反射板３０の受け口３１に取り付けられた状態において、放電部１１３が反射板３０の焦点位置に配置されるようにすることができる。
即ち図５を参照して、ランプ本体部１１０における放電部１１３からロックピン１１７の位置までの距離Ｌ１は、種類によらず、一定値に共通化されている。一方、反射板３０の焦点距離は、フランジ１２２が当接する反射板３０の受け口３１背面の受け面３１ｂからの距離Ｌｆとして反射板３０の受け口３１の種類毎に一定値となる。従って口金本体部１２０のフランジ１２２からロックピン受け１２４までの距離Ｌ２を、前記受け口３１の種類に対応する口金本体部１２０の種類毎にＬ２＝Ｌ１−Ｌｆとして予め定めておくことで、組み合わされて完成された放電ランプ１００の放電部１１３の位置を、受け口３１の種類と対応した反射板３０の焦点位置に配置することができる。
【００２８】
上記の実施形態では、ランプ本体部側結合位置決め手段としてロックピン１１７を設け、口金本体部側結合位置決め手段としてロックピン受け１２４を設けたが、ロックピン１１７を口金本体部１２０側に設け、ロックピン受け１２４をランプ本体部１１０側に設けるようにすることも可能である。
またロックピン１１７とロックピン受け１２４とは、相互に分離可能に嵌合して結合・固定されるものであるが、相互に分離可能に嵌合して結合と位置決めを完成するものであれば、ピンとピン受けに限るものではなく、他の種類の凹部と凸部とからなるような一対の嵌合要素をランプ本体部側結合位置決め手段及び口金本体部側結合位置決め手段として設けるようにしてもよい。
【００２９】
前記ロックピン１１７とロックピン受け１２４は、相互に嵌合することで結合を完成するランプ本体部側結合位置決め手段と口金本体部側結合位置決め手段である。しかし、このランプ本体部側結合位置決め手段と口金本体部側結合位置決め手段とてしては、相互に分離可能に係合することで結合と位置決めを完成する一対の係合要素、例えば一対の係合片からなるものであってもよい。
更にランプ本体部側結合位置決め手段と口金本体部側結合位置決め手段としては、相互に分離可能に螺合することで結合と位置決めを完成する一対の螺合要素、例えば位置決め手段を有する一対の雄ネジと雌ネジからなるようなものであってもよい。
【００３０】
また上記においては、ランプ本体部１１０と口金本体部１２０との分離可能な結合と相対位置の規制とを兼ねて行う手段として、ランプ本体部側結合位置決め手段と口金本体部側結合位置決め手段とを設けるようにした。が、ランプ本体部１１０と口金本体部１２０との結合と相対位置の規制とは、別の手段で行うようにしてもよい。
即ち、ランプ本体部１１０と口金本体部１２０とを分離可能に結合する手段を、ランプ本体部１１０と口金本体部１２０との一方若しくは両方に設け、それとは別にランプ本体部１１０と口金本体部１２０との相対的位置を規制して決める位置決め手段を、ランプ本体部１１０と口金本体部１２０との一方若しくは両方に設けるようにしてもよい。例えばランプ本体部１１０と口金本体部１２０とを分離可能に結合することを単純に行うことができる嵌合手段や係合手段或いは螺合手段を設け、それとは別に前記嵌合され、係合され、螺合されるランプ本体部１１０と口金本体部１２０との相対位置を単純に規制して決める位置決め手段を設けることで、ランプ本体部側結合位置決め手段と口金本体部側結合位置決め手段を設ける場合と同様な目的を達成することができる。本発明はこのような場合もその範囲に含むものである。
【００３１】
図６を参照して、本発明の車両用放電ランプの取り付け方法の例を説明する。
先ず選択された口金本体部１２０を反射板３０の背面側から取り付けて固定する。取り付けは口金本体部１２０の口金前部１２３を反射板３０の受け口３１の開口３１ａに嵌挿すると共に、口金本体部１２０のフランジ１２２を反射板３０の受け口３１の受け面３１ｂの浅い凹所に嵌め合わせるようにして当てがう。そして反射板３０の留め金３３を回動させて口金本体部１２０のフランジ１２２の背後から当てがい、係止片３４、３４に係止させる。これによって口金本体部１２０の反射板３０の受け口３１への取り付け固定が完了する。次に取り付けられた口金本体部１２０に対してランプ本体部１１０を、その先端の放電管１１１側から口金本体部１２０の貫通孔１２１に挿嵌して行き、ロックピン１１７をロックピン受け１２４に嵌め込む。ロックピン１１７がロックピン受け１２４に嵌合することで、その位置で固定的に結合される。勿論、ロックピン１１７を押さえながらランプ本体部１１０を後退させることで、口金本体部１２０から分離させることができる。
前記ランプ本体部１１０が口金本体部１２０に結合された時点で、反射板３０の前方に突出した放電管１１１の放電部１１３が自動的に反射板３０の焦点位置に配置された状態となる。
【図面の簡単な説明】
【００３２】
【図１】本発明の車両用放電ランプの実施形態を示す自動車の前照灯の一部断面側面図である。
【図２】前照灯の前面ガラス部を外した状態を示す斜視図である。
【図３】前照灯の背面側から見た分解斜視図である。
【図４】前照灯の分解斜視図である。
【図５】ランプ本体部と口金本体部とを組み合わせた状態を示す一部断面側面図である。
【図６】車両用放電ランプにおけるランプ本体部と口金本体部との組み合わせ前の状態を示す斜視図である。
【図７】従来のハロゲンランプを用いた自動車の前照灯の一例を示す一部断面側面図である。
【図８】従来のハロゲンランプを用いた自動車の前照灯における反射板へのハロゲンランプの取り付けを説明する図である。
【図９】従来のハロゲンランプを用いた自動車の前照灯の反射板に対して従来の放電ランプを替わりに取り付ける場合を説明する図である。
【符号の説明】
【００３３】
１０    前照灯
２０    前面ガラス
３０    反射板
３１    受け口
３１ａ  開口
３１ｂ  受け面
３２    保護壁
３３    留め金
３４    係止片
１００  放電ランプ
１１０  ランプ本体部
１１１  放電管
１１２  スリーブ
１１３  放電部
１１４  リード線
１１５  保護管
１１６  外部リード線
１１７  ロックピン
１２０  口金本体部
１２１  貫通孔
１２２  フランジ
１２３  口金前部
１２４  ロックピン受け
【図１】
2006244957.tif 000003
【図２】
2006244957.tif 000004
【図３】
2006244957.tif 000005
【図４】
2006244957.tif 000006
【図５】
2006244957.tif 000007
【図６】
2006244957.tif 000008
【図７】
2006244957.tif 000009
【図８】
2006244957.tif 000010
【図９】
2006244957.tif 000011
【手続補正書】
【提出日】平成17年9月15日(2005.9.15)
【手続補正１】
【補正対象書類名】特許請求の範囲
【補正対象項目名】全文
【補正方法】変更
【補正の内容】
【特許請求の範囲】
【請求項１】
放電管を用いた車両用の放電ランプであって、前記放電管を前照灯の反射板の受け口から差し入れると共に前記放電ランプに設けたフランジを前記反射板の受け口の受け面に対して背面から当接させ、反射板側の留め金を前記フランジの背面に押し当てることで、放電ランプの固定をなすようにしたものにおいて、
前記放電管とリード線の保護管の両基部側を肉厚内に収容して一体化してなるスリーブに外部リード線を接続して備えたランプ本体部と、
該ランプ本体部とは別体に構成され、前記ランプ本体部のスリーブを分離可能に挿嵌して取り付けるための貫通孔を備えると共に外側周に前記フランジを備えた口金本体部との組み合わせからなり、
前記ランプ本体部は、その放電管の種類に関係なく、前記スリーブの外径寸法を共通に構成し、
前記口金本体部は、それが嵌め合わされる反射板の受け口の種類に対応して複数種類の形状を持つものとし、且つその種類に関係なく、前記貫通孔の内径寸法を前記スリーブの共通の外径寸法に対応して共通に構成し、これによって種々の放電管を備えた共通の外径寸法を持つランプ本体部とこれに対応する口金本体部との組み合わせを自在とし、
且つランプ本体部には、口金本体部との分離可能な結合と該結合の際に両者の相対位置を規制する位置決めとを兼ねたランプ本体部側結合位置決め手段を、放電管の放電部から一定の距離位置に設け、
口金本体部には前記ランプ本体部側結合位置決め手段に対応する分離可能な結合と位置決めとを兼ねた口金本体部側結合位置決め手段を、前記口金本体部の形状の種類に対応してそれぞれ前記フランジ部から予め定めた距離位置に設け、
これによって両結合位置決め手段の分離可能な結合によって完成された放電ランプが反射板の受け口に取り付けられた際に、放電管の放電部が前記反射板の焦点位置に配置されるようにしてあることを特徴とする車両用放電ランプ。
【請求項２】
ランプ本体部側結合位置決め手段と口金本体部側結合位置決め手段とは、相互に嵌合することで結合を完成し、或いは係合することで結合を完成し、或いは螺合することで結合を完成する一対の要素からなることを特徴とする請求項１に記載の車両用放電ランプ。
【手続補正３】
【補正対象書類名】明細書
【補正対象項目名】０００１
【補正方法】変更
【補正の内容】
【０００１】
本発明は車両用放電ランプに関し、より詳しく自動車の前照灯等に用いられる車両用放電ランプに関する。
【手続補正４】
【補正対象書類名】明細書
【補正対象項目名】００１０
【補正方法】変更
【補正の内容】
【００１０】
そこで本発明は上記従来の問題を解消し、多数の形式があるハロゲンランプを放電ランプに代替する場合に、何れのハロゲンランプの形式にも簡単に形式を適合させて用いることができ、また形式の異なる放電ランプ同士での代替えの際にも簡単に形式を適合させて用いることができ、よって従来のように全体が一体物となっている放電ランプを多数種類について取り揃えておく必要がなく、加えて代替して取り付ける際にその焦点位置の設定調節を確実に且つ容易に行うことができる車両用放電ランプの提供を目的とする。
【手続補正５】
【補正対象書類名】明細書
【補正対象項目名】００１１
【補正方法】変更
【補正の内容】
【００１１】
上記課題を達成するため、本発明の車両用放電ランプは、放電管を用いた車両用の放電ランプであって、前記放電管を前照灯の反射板の受け口から差し入れると共に前記放電ランプに設けたフランジを前記反射板の受け口の受け面に対して背面から当接させ、反射板側の留め金を前記フランジの背面に押し当てることで、放電ランプの固定をなすようにしたものにおいて、
前記放電管とリード線の保護管の両基部側を肉厚内に収容して一体化してなるスリーブに外部リード線を接続して備えたランプ本体部と、
該ランプ本体部とは別体に構成され、前記ランプ本体部のスリーブを分離可能に挿嵌して取り付けるための貫通孔を備えると共に外側周に前記フランジを備えた口金本体部との組み合わせからなり、
前記ランプ本体部は、その放電管の種類に関係なく、前記スリーブの外径寸法を共通に構成し、
前記口金本体部は、それが嵌め合わされる反射板の受け口の種類に対応して複数種類の形状を持つものとし、且つその種類に関係なく、前記貫通孔の内径寸法を前記スリーブの共通の外径寸法に対応して共通に構成し、これによって種々の放電管を備えた共通の外径寸法を持つランプ本体部とこれに対応する口金本体部との組み合わせを自在とし、
且つランプ本体部には、口金本体部との分離可能な結合と該結合の際に両者の相対位置を規制する位置決めとを兼ねたランプ本体部側結合位置決め手段を、放電管の放電部から一定の距離位置に設け、
口金本体部には前記ランプ本体部側結合位置決め手段に対応する分離可能な結合と位置決めとを兼ねた口金本体部側結合位置決め手段を、前記口金本体部の形状の種類に対応してそれぞれ前記フランジ部から予め定めた距離位置に設け、
これによって両結合位置決め手段の分離可能な結合によって完成された放電ランプが反射板の受け口に取り付けられた際に、放電管の放電部が前記反射板の焦点位置に配置されるようにしてあることを第１の特徴としている。
また本発明の車両用放電ランプは、上記第１の特徴に加えて、ランプ本体部側結合位置決め手段と口金本体部側結合位置決め手段とは、相互に嵌合することで結合を完成し、或いは係合することで結合を完成し、或いは螺合することで結合を完成する一対の要素からなることを第２の特徴としている。
【手続補正６】
【補正対象書類名】明細書
【補正対象項目名】００１２
【補正方法】変更
【補正の内容】
【００１２】
請求項１に記載の車両用放電ランプによれば、客等は自動車整備工場等において、自己が好む発光色の放電ランプが付いたランプ本体部を既存のハロゲンランプや放電ランプに替えて選び、一方、自動車整備工場等の社員等は、その客の自動車等に装備された前照灯の反射板の受け口の形状（ハロゲンランプや放電ランプの形式）を見て、その受け口の形状に対応する口金本体部を選ぶ。これによってランプ本体部と口金本体部との組み合わせが確定される。そして自動車整備工場等の社員等は、元のハロゲンランプ等を前照灯の反射板の受け口から外した後、前記選んだ口金本体部を前記受け口に嵌め合わせて固定し、次に客が選んだランプ本体部を前記固定した口金本体部の貫通孔に挿嵌し、結合する。これによって口金本体部とランプ本体部とが組み合わされた形で放電ランプが完成され、且つ反射板の受け口への取り付けが完了する。取り付けが完了した状態において放電ランプの放電部が反射板の焦点位置に配置されることになる。
よって請求項１に記載の車両用放電ランプによれば、自動車整備工場等においては反射板の受け口の種類に対応した口金本体部の種類を揃え、且つ色々な発光色の放電管を備えたランプ本体部を揃えておけば、顧客の要望に応じて、それらのランプ本体部と口金本体部とを組み合わせて使用すればよく、取り揃えておくべき種類を従来の一体型放電ランプを取り揃える場合に比べて大幅に少なくすることができる。
また請求項１に記載の車両用放電ランプによれば、ハロゲンランプを放電ランプに取り替えるだけではなく、放電ランプ間での発光色や形式の相違にも適応して、容易に代替えすることができる。
また請求項１に記載の車両用放電ランプによれば、口金本体部とランプ本体部とを別体に構成してこれを組み合わせるようにしているので、反射板の受け口に対して、先に口金本体部を取り付け、その先に取り付けられた口金本体部に対して放電管が付いたランプ本体部を後から結合することが可能となり、放電管が反射板の受け口等に当って破損するといった従来の問題も軽減することができる。
更には、一旦結合したランプ本体部と口金本体部とは分離が可能であるので、壊れたランプ本体部だけ取り替えたり、ランプ本体部だけを取り替えて発光色を変更することも容易に安価で行うことができる。
【手続補正７】
【補正対象書類名】明細書
【補正対象項目名】００１３
【補正方法】変更
【補正の内容】
【００１３】
加えて請求項１に記載の車両用放電ランプによれば、ランプ本体部と口金本体部とには、それぞれ結合と位置決めとを兼ねたランプ本体部側結合位置決め手段と口金本体部側結合位置決め手段とを設けているので、両者の結合と両者の相対的位置決めとを同時にワンタッチ的に行えるメリットがある。
そして前記ランプ本体部側結合位置決め手段については、放電管の放電部から一定の距離にある位置に設けることで、色々な発光色を有するランプ本体部に対して汎用性をもたらすことができ、且つ前記口金本体部側結合位置決め手段については、口金本体部の形状の種類に対応してそれぞれ前記フランジ部から予め定めた距離位置に前記口金本体部側結合位置決め手段を設けることで、何れの種類の口金本体部を用いてランプ本体部と組み合わせて放電ランプを完成させた場合であっても、その放電ランプが反射板の受け口に取り付けられた際に、放電管の放電部が反射板の焦点位置に確実に配置されるようにすることができる。
【手続補正８】
【補正対象書類名】明細書
【補正対象項目名】００１４
【補正方法】変更
【補正の内容】
【００１４】
更に請求項１に記載の車両用放電ランプによれば、放電ランプが反射板の受け口に取り付けられるに際しては、口金本体部に形成されたフランジが反射板の背面側に設けられる前記受け口の受け面に対して当接することで、相対位置を定める際の基準とすることができ、そのフランジからの距離でもって口金本体部側結合位置決め手段の位置を定めたことで、口金本体部側結合位置決め手段の配置や形成を容易に行うことができる。
【手続補正９】
【補正対象書類名】明細書
【補正対象項目名】００１５
【補正方法】変更
【補正の内容】
【００１５】
また請求項２に記載の車両用放電ランプによれば、上記請求項１に記載の構成による効果に加えて、ランプ本体部と口金本体部とに設けられる結合位置決め手段を相互に嵌合することで結合を完成する一対の嵌合要素とすることで、該一対の嵌合要素を相互に嵌合することで、ランプ本体部と口金本体部との結合及び相対的位置決めを同時的に容易に行うことができる。同様に、ランプ本体部と口金本体部とに設けられる結合位置決め手段を相互に係合することで結合を完成する一対の係合要素とすることで、該一対の係合要素の係合によりランプ本体部と口金本体部との結合及び相対的位置決めを同時的に容易に行うことができる。また同様に、ランプ本体部と口金本体部とに設けられる結合位置決め手段を相互に螺合することで結合を完成する一対の螺合要素とすることで、該螺合要素の螺合を介してランプ本体部と口金本体部との結合及び相対的位置決めを同時的に容易に行うことができる。
【手続補正１０】
【補正対象書類名】明細書
【補正対象項目名】００１６
【補正方法】削除
【補正の内容】